(57)【特許請求の範囲】
【請求項１】
バッテリ電力受取装置のバッテリ動作中に動作電力を供給するバッテリ手段と、
前記バッテリ電力受取装置と接続される前記バッテリ手段内に設けられるバッテリ情報回路と
を備え、前記バッテリ情報回路及び前記バッテリ電力受取装置が相互に通信可能であり、かつ前記バッテリ情報回路及び前記バッテリ電力受取装置に識別情報及びバッテリ情報を記憶する手段を有するバッテリ・システムであって、更に、
前記バッテリ情報回路に記憶されている前記識別情報が前記バッテリ電力受取装置に記憶されている前記識別情報と一致するときは、前記バッテリ電力受取装置に記憶されている前記バッテリ情報を実際のバッテリ情報として使用する手段と
前記バッテリ情報回路に記憶されている前記識別情報が前記バッテリ電力受取装置に記憶されている識別情報と一致しないときは、実際のバッテリ情報として前記バッテリ情報回路内の前記バッテリ情報を使用する手段と
を備えていることを特徴とするバッテリ・システム。
【請求項２】
前記バッテリ・システムは、更に、前記バッテリ電力受取装置に、前記バッテリ手段が以前に接続されたことを検出する手段を備えていることを特徴とする請求項１記載のバッテリ・システム。
【請求項３】
前記バッテリ・システムは、更に、前記バッテリ手段が前記バッテリ電力受取装置に接続されたときに、前記バッテリ情報回路及びバッテリ電力受取装置に前記識別情報を比較可能なようにそれぞれ記憶する手段を備えていることを特徴とする請求項２記載のバッテリ・システム。
【請求項４】
前記バッテリ・システムは、更に、ランダム又は擬似ランダム二進符号情報として前記識別情報を発生する手段を備えていることを特徴とする請求項１〜３いずれかに記載のバッテリ・システム。
【請求項５】
前記バッテリ・システムは、更に、バッテリ手段が認識可能であるか否かを判断する手段を備えていることを特徴とする請求項１〜４いずれかに記載のバッテリ・システム。
【請求項６】
前記バッテリ・システムは、更に、前記バッテリと前記バッテリ電力受取装置との間の通信プロトコルを判断する手段を備えていることを特徴とする請求項１〜５いずれかに記載のバッテリ・システム。
【請求項７】
前記バッテリ・システムは、更に、バッテリ手段が識別可能であるか否かの判断および前記バッテリと前記バッテリ電力受取装置との間の通信プロトコルの判断を実行し、かつ通信が成功したときは連続して２回通信することにより及び通信が失敗したときは最大３回通信することにより、前記識別情報を検証する手段を備えていることを特徴とする請求項１〜６いずれかに記載のバッテリ・システム。
【請求項８】
バッテリ電力受取装置と、バッテリ情報回路と一体に保持されるバッテリ手段を備えるバッテリ・パックとの間で通信する方法であって、
前記バッテリ情報回路及び前記バッテリ電力受取装置が、バッテリ情報を記憶しているメモリを備え、前記通信する方法は、
前記バッテリ情報回路に識別情報を記憶するステップと、
前記バッテリ電力受取装置に前記識別情報を記憶するステップと、
前記バッテリ情報回路に記憶されている前記識別情報が前記バッテリ電力受取装置に記憶されている識別情報と一致するときは、実際のバッテリ情報として前記バッテリ電力受取装置に記憶されているバッテリ情報を使用するステップと
前記バッテリ情報回路に記憶されている前記識別情報が前記バッテリ電力受取装置に記憶されている識別情報と一致しないときは、実際のバッテリ情報として前記バッテリ情報回路内の前記バッテリ情報を使用するステップと
を備えていることを特徴とする方法。
【請求項９】
前記方法は、更に、前記バッテリ電力受取装置に、前記バッテリ手段が以前に接続されたことを検出するステップを備えていることを特徴とする請求項8記載の方法。
【請求項１０】
前記方法は、更に、前記バッテリ手段が前記バッテリ電力受取装置に接続されたときに、前記バッテリ情報回路及びバッテリ電力受取装置に前記識別情報を比較のためにそれぞれ記憶するステップを備えていることを特徴とする請求項９記載の方法。
【請求項１１】
前記方法は、更に、ランダム又は擬似ランダム二進符号情報として前記識別情報を発生するステップを備えていることを特徴とする請求項８〜１０いずれかに記載の方法。
【請求項１２】
前記方法は、更に、バッテリ手段が認識可能であるか否かを判断するステップを備えていることを特徴とする請求項８〜１１いずれかに記載の方法。
【請求項１３】
前記方法は、更に、前記バッテリと前記バッテリ電力受取装置との間の通信プロトコルを判断するステップを備えていることを特徴とする請求項８〜１２いずれかに記載のバッテリ・システム。
【請求項１４】
前記方法は、更に、バッテリ手段が認識可能であるか否かの判断、及び前記バッテリと前記バッテリ電力受取装置との間の通信プロトコルの判断を実行するステップと、通信が成功したときは連続して２回通信すること及び通信が失敗したときは最大３回通信することにより、前記識別情報を検証するステップとを備えていることを特徴とする請求項８〜１３いずれかに記載の方法。
【発明の詳細な説明】
【０００１】
本発明は、バッテリ電力受取装置のバッテリ動作中に動作電力を供給するバッテリ手段と、前記バッテリ電力受取装置と組み立てられるように前記バッテリ手段と一体に保持されるバッテリ情報回路とを備え、前記バッテリ情報回路及び前記バッテリ電力受取装置は、相互に通信が可能であり、かつ前記バッテリ情報回路及び前記バッテリ電力受取装置に識別情報及びバッテリ情報を記憶する手段を有するバッテリ・システムに関する。
【０００２】
本発明は、更に、バッテリ電力受取装置とバッテリ・パックとの間で通信する方法に関し、前記バッテリ・パックは、バッテリ情報回路を有するユニットとして搬送されるバッテリ手段を備え、前記バッテリ情報回路及び前記バッテリ電力受取装置は、バッテリ情報を記憶し、かつバッテリ情報を含む複数のメモリ・セルラを備えている。
【０００３】
セルラ電話技術の発展は、複数のバッテリ及び複数のバッテリ電力受取装置の領域における発展に対し、特にバッテリ情報、例えばセルラ電話における通信の方法に対して同様の必要性を発生させた。電話は、移動能力を得るためにバッテリを利用する必要がある。バッテリは、ユーザが固定電源に拘束されることなく、自由な移動を可能にするので、セルラ電話のユーザにとって決定的な存在である。
【０００４】
従って、セルラ電話の使用を完全に最大化する第１の観点から、ユーザが取り付けられたバッテリから最大のパフォーマンスを得ることは、重要である。これは、例えばバッテリを正しく充電し、常時、バッテリの正確な充電状態を認識することにより得られる。これは、ユーザが電話上でどの程度のスタンバイ時間が残されているのかを知ることを可能にする。この形式の情報は、ユーザにおいてバッテリの充電がユーザの要求に十分であるか否か、又はバッテリの充電が必要であるか否かのインテリジェントな判断を可能にする。
【０００５】
しかしながら、第２の観点から、及びバッテリからこのような最大パフォーマンスを達成する際にユーザが避けるために、セルラ電話それ自体は、例えば、与えられた仕様に従ってバッテリを充電放電することにより、取り付けられたバッテリの最大パフォーマンスを達成できることが重要である。このような仕様は、典型的には、パラメータとして記述され、かつ最小及び最大充電温度、最大充電電流及び電圧等を含む。
【０００６】
このような仕様は、最大パフォーマンスを達成するためにバッテリ固有になるということから、バッテリ給電装置の分野において周知の解決方法は、いわゆる「スマート」バッテリ即ちバッテリ・システムを提供することである。このようなバッテリ・システムは、バッテリと、バッテリ給電される装置、例えばセルラ移動電話にバッテリ情報を提供できるマイクロプロセッサ即ちステート・マシンとを備えている。
【０００７】
小型の携帯電子装置、特に移動電話に使用されているバッテリ・システムは、軽重量かつ数時間の使用、即ちバッテリを再充電せずに、この装置を使用することができる時間が移動電話及び移動電話用のアクセサリの他の販売者との競争において極めて重要となる点で、通常のバッテリ・システムと異なる。
【０００８】
従って、製造者のコストを最小化するために、僅かな金が使用されているに過ぎない。このため、バッテリ・パックに記憶されているバッテリ情報は、可能な限りコンパクトにされる必要がある。これは、バッテリ・パックに記憶されているバッテリ情報を制限することにより、例えば比較的に低い分解能によるバッテリ・パラメータを表すことにより、得ることが可能である。
【０００９】
しかしながら、バッテリ給電される装置における記憶容量ということであれば、バッテリ給電される装置の複雑な機能を処理する現在の進歩した回路のために、比較的に大きなメモリ容量が存在する。従って、バッテリ給電される装置は、例えば比較的に高い分解能によりバッテリ・パラメータを表すことにより、相対的に進歩したバッテリ情報を備えることができる。
【００１０】
米国特許第５、３５０、９９３号は、電子装置、及びバッテリ充電器に選択的に接続可能なバッテリ・パックを開示している。この電子装置又はバッテリ充電器は、取り付けたバッテリ・パックが両立可能な装置であるか否かを判断している。取り付けたバッテリ・パックが適合していると判断されたときは、バッテリ・パックから電子装置に、又はバッテリ充電器からバッテリ・パックに電力が転送される。この電子装置又はバッテリ充電器は、バッテリ・パック形式を認識できるバッテリ情報を備えたバッテリ・パックから電気信号を受け取る。従って、この特許から、ある形式の識別情報を調べることにより、バッテリ・パックが両立可能であるか否かを判断することが解る。
【００１１】
しかしながら、この特許によると、バッテリ・パックが電子装置から取り外されたときは、常に、バッテリ・パックからバッテリ情報を要求しなければならない。従って、バッテリ・パラメータが電子装置における分解能（ｒｅｓｏｌｕｔｉｏｎ）に比較してバッテリ・パックにおける相対的に低い分解能により表されるときは、不必要に低い分解能がバッテリ・パックの電流パフォーマンスを判断するために使用されることになる。
【００１２】
本発明の第１の目的は、最良のバッテリ情報を選択できるバッテリ・システムを提供することである。
【００１３】
これは、最初の段落において述べた前記バッテリ・システムにおいて、前記バッテリ・システムが、更に、バッテリ情報回路に記憶されている識別情報がバッテリ電力受取装置に記憶されている識別情報と一致するときに、実際のバッテリ情報として、前記バッテリ電力受取装置に記憶されているバッテリ情報を使用する手段を備えていることを特徴とするときに、達成される。
【００１４】
従って、バッテリ情報回路に記憶されている識別情報がバッテリ電力受取装置に記憶されている識別情報と一致するときは、前記バッテリ情報回路から前記バッテリ電力受取装置にバッテリ情報を通信する必要はない。更に、バッテリ情報、例えばバッテリ・パラメータが前記バッテリ情報回路における分解能に比較して前記バッテリ電力受取装置における相対的に高い分解能により表されるときは、前記バッテリ手段を使用して良好なパフォーマンスが得られる。
【００１５】
前記バッテリ・システムが更に前記バッテリ電力受取装置に対して１バッテリ情報回路又は複数のバッテリ情報回路の次の取り付けを検出する手段を備えているときに、前記バッテリ電力受取装置にバッテリを取り付ければ、前記識別情報が前述したように一致するか否かを調べることができる。
【００１６】
これは、特に、バッテリ・システムが更に第１の取り付け中及び第２の取り付け中に、前記バッテリ情報回路及び前記バッテリ電力受取装置に識別情報を記憶する手段をそれぞれ備えているときに、可能である。従って、前述したように、前記識別情報が一致するか否かの調べは、前記バッテリと前記バッテリ電力受取装置との相互接続中に、１回だけ調べる必要がある。
【００１７】
好適な一実施例において、バッテリ・システムは、更に、バッテリ情報回路に記憶されている識別情報がバッテリ電力受取装置に記憶されている識別情報と一致しないときは、実際のバッテリ情報として前記バッテリ情報回路内のバッテリ情報を使用する手段を備えている。これによって、実際のバッテリ情報は、前記バッテリ電力受取装置における前記バッテリ情報が更新されないとき、即ち前記バッテリ情報が実際のバッテリ情報として使用できないときに、前記バッテリ情報回路から得られる。
【００１８】
前記バッテリ・システムが、更に、ランダム又は擬似ランダム二進符号情報として前記識別情報を発生する手段を備えているときは、実際のバッテリ情報として前記バッテリ電力受取装置における前記バッテリ情報を誤って取り込む危険危険性を最小化する。
【００１９】
好適な一実施例において、前記バッテリ・システムは、更に、バッテリ・システムが認識可能であるか否かを判断する手段を備えている。これによって、予測した情報の形式が正しいことが保証され、従って誤りを発生する危険性が最小化される。
【００２０】
前記バッテリ・システムが、更に、前記バッテリと前記バッテリ電力受取装置との間の通信プロトコルを判断する手段を備えているときは、予め選択された多数のプロトコルのうちの１プロトコルを選択することができる。
【００２１】
好適な一実施例において、前記バッテリ・システムは、更に、バッテリ手段が前記バッテリと前記バッテリ電力受取装置との間の通信プロトコルの判断を認識可能であるか否かの判断を実行し、かつ通信が成功したときは連続して２回通信すること、及び通信が失敗したときは最大３回通信することにより、前記識別情報を検証する手段を備えている。従って、前記バッテリが誤って認識される危険性を更に最小化することが可能であると同時に、前記バッテリを認識する試行処理を正しく終結したことが保証される。
【００２２】
本発明の第２の目的は、バッテリ電力受取装置とバッテリ・パックとの間で通信する方法であって、最適のバッテリ情報を選択することができる方法を提供することである。
【００２３】
これは、前記開始段において述べた方法において、前記方法がバッテリ情報回路に識別情報を記憶するステップと、前記バッテリ電力受取装置に前記識別情報を記憶するステップと、前記バッテリ情報回路に記憶されている前記識別情報が前記バッテリ電力受取装置に記憶されている識別情報と一致するときは、実際のバッテリ情報として前記バッテリ電力受取装置に記憶されているバッテリ情報を使用するステップとを備えることを特徴とするとするときに、達成される。
【００２４】
従って、バッテリ・パックに記憶されている識別情報がバッテリ電力受取装置に記憶されている識別情報と一致するときは、前記バッテリ・パックから前記バッテリ電力受取装置にバッテリ情報を通信する必要はない。更に、バッテリ情報、例えばバッテリ・パラメータが前記バッテリ・パックにおける分解能に比較して前記バッテリ電力受取装置における相対的に高い分解能により表されるときは、前記バッテリ手段を使用して良好なパフォーマンスが得られる。
【００２５】
前記方法の好ましい実施例は、従属請求項１０〜１６に与えられる。
【００２６】
以下、好ましい実施例に関連させると共に、図面を参照して本発明を更に詳細に説明する。
【００２７】
【発明の実施の形態】
図１は、電子装置１０２、及びバッテリ即ちこれに取り付けられたバッテリ・パック１０３を備えた装置１０１を示す。装置１０１は、更に、電子装置１０２及びバッテリ１０３を接続する多数の接続１０４、１０５、１０６を備えており、これによって電子装置１０２とバッテリ１０３との間の通信を可能にしている。
【００２８】
電子装置１０２は、以下において更に第１の通信手段と呼ぶトランシーバ１０８、及びマイクロコントローラ１０９を備えている。トランシーバ１０８及びマイクロコントローラ１０９は、データを交換するようにされており、これを図に参照符号１１０及び１１１により示す。マイクロ・コントローラ１０９は、接続１１１によりトランシーバ１０８に情報を伝送することができる。同様に、接続１１０は、トランシーバ１０８からマイクロコントローラ１０９にデータを伝送するために使用されてもよい。トランシーバ１０８は、ユニバーサル非同期レシーバ・トランスミッタ（ＵＡＲＴ）に伝送するために使用されてもよい。
【００２９】
バッテリは、１以上のバッテリ・セル１１３、マイクロ・コントローラ１１４（ステート・マシンであってもよい）、バッテリ情報補足ユニット１１５、トランシーバ１１７及びメモリ１１６を含む。トランシーバ１１７は、以下において更に第２の通信手段と呼ぶことに注意すべきである。更に、トランシーバ１１７は、ユニバーサル非同期レシーバ・トランスミッタ（ＵＡＲＴ）であってもよい。
【００３０】
接続１０４及び１０５は、バッテリ・パック１０３から電子装置１０２に電力を供給するために使用される。例えば、接続１０４は、バッテリ１０３内のバッテリ・セル１１３の正極に接続されてもよく、また接続１０５は、バッテリ１０３内のバッテリ・セル１１３のバッテリ負極（ＧＮＤ）に接続されてもよい。
【００３１】
電子装置１０２に設けられたトランシーバ１０８は、接続１０６によりバッテリ１０３内のトランシーバ１１７に接続されて、第１の通信手段と第２の通信手段との間で多数のビットからなる複数の伝送バイトを含むディジタル直列通信を可能にしている。メモリ１１６は、多数のデータ情報、例えばバッテリの認識番号、バッテリの最大容量、バッテリの電流容量等を記憶するようにされている。
【００３２】
マイクロ・コントローラ１１４は、トランシーバ１１７、バッテリ情報獲得ユニット１１５、及びメモリ１１６に接続されている。バッテリ情報補足ユニット１１５は、バッテリ・セル１１３に接続されており、バッテリ・セル１１３から現在のバッテリ容量等のようなバッテリ情報を取り出すようにされている。バッテリ情報獲得ユニット１１５は、マイクロ・コントローラ１１４によって情報を伝送するように命令されたときは、マイクロ・コントローラ１１４に情報を伝送するようにされている。マイクロ・コントローラ１１４は、メモリ１１６からの情報を記憶し、読み出すようにされ、かつトランシーバ１１７により電子装置１０２に情報を伝送するようにされている。
【００３３】
図２は、バッテリ・パック１０３の一部とインターフェース接続する電子装置１０２の一部を示し、また図１に示す接続１０６に関連して電子装置１０２とバッテリ１０３とを接続するようにした接続１０６を示す。図２の左側は、電子装置１０２の一部を示し、一方図２の右側はバッテリ１０３の一部を示す。図に示すように、電子装置１０２及びバッテリ１０３は、インターフェース２０１により接続される。
【００３４】
電子装置１０２は、制御ユニット２０２及びユニバーサル非同期レシーバ・トランスミッタ２０３及びいわゆるＵＡＲＴを含む。同様に、バッテリ１０３は、制御ユニット２０４を含む。電子装置１０２及びバッテリ１０３は、インターフェース２０１を介してデータを伝送するようにされている。伝送は、プル・アップ・レジスタ２０７、スイッチ２０５及びスイッチ２０６により実行される。
前記電子装置内のスイッチ２０５は、制御ユニット２０２により制御されるように接続されている。同様に、前記バッテリ１０３内のスイッチ２０６は、制御ユニット２０４により制御されるように接続されている。
【００３５】
スイッチ２０５及びスイッチ２０６は、いずれも接地電位に接続されている。これは、続いて制御ユニット２０２、２０４がインターフェース２０１を介して情報を伝送できるようにする。電子装置１０２からバッテリ１０３への情報伝送は、電子装置１０２により制御される。制御ユニット２０２は、スイッチ２０５を制御するようにされ、従ってバッテリ１０３に情報を送出するようにされる。例えば、スイッチ２０５が開放されているときは、プルアップ・レジスタ２０７は、通信回線１０６の電位をハイ・レベルに設定する。他方、スイッチを閉じると、通信回線１０６の電位は、ロー・レベルとなる。スイッチ２０５の位置を制御することにより、制御ユニット２０２は、通信回線１０６の電位を制御し、また通信回線がバッテリ１０３に接続されると、電子装置１０２からバッテリ１０３に情報を伝送する。
【００３６】
同様に、制御ユニット２０４は、スイッチ２０６によりバッテリ１０３から電子装置１０２に情報を伝送することができる。電子装置１０２内のスイッチ２０５により発生したデータは、電子装置１０２内のＵＡＲＴ２０３に同一と云えるＵＡＲＴ２１１により受信される。
【００３７】
好ましい実施例において、電子装置１０２とバッテリ１０３との間で多数のビットを含むバイトが伝送される。これらバイトのフォーマットを図３に示す。
【００３８】
図３は、前述の伝送に関連して使用可能とされる多数のビットからなる１バイト例を示す。バイト３００は、３セクション、即ち２スタート・ビットを含む第１のセクション、多数のデータ・ビットを含む第２のセクション３０２、及びストップ・ビットを含む第３のビットに分割される。
【００３９】
第１のセクションは、２ビット３０４、３０５を含み、伝送中にバイト３００のスタートを表すために使用される。スタート・ビットは、好ましくは、異なる複数の値を有する。例えば、スタート・ビット３０４は論理「０」であり、一方スタート・ビット３０５は論理「１」である。第２のセクション３０２は、伝送している情報に従った値を有する多数の（例えば８）データ・ビットを含む。第３のセクション３０３は、バイトの終わりを表すために使用されるストップ・ビットを含む。以下から明らかとなるように、ストップ・ビットは、例えば、伝送されたバイトがストップ・ビットの値に対応した信号レベルを有する期間により分離されているとき、又は伝送されたバイトが固定長であるときは、しばしば、不必要となる。
【００４０】
図４は、電子装置１０２とバッテリ１０３との間で通信回線１０６を介する複数バイトの伝送を示すタイミング図である。図において、時間は、左から右へ増加して行くことに注意すべきである。
【００４１】
この図は、第１のバイト４０１が通信回線１０６を介して電子装置１０２からバッテリ１０３に伝送され、続いて第２のバイト４０２が通信回線１０６を介して、例えばバッテリ１０３から電子装置１０２に伝送されるのを示す。
【００４２】
この図において、第１のバイトの伝送と第２のバイトの伝送とを示す期間は、４０５により示す期間により分離されている。期間４０５の長さは、所要の応答時間と、通信方向を逆転させるための最小セットアップ時間とにより指定される。
【００４３】
バッテリ内の１以上の電子手段、例えばマイクロ・コントローラ１１４は、活性状態又は節電状態であってもよい。節電状態において、通信回線は、いわゆるアイドル状態にある。従って、これらの電子装置の電力消費は、電子装置１０２とバッテリ１０３との間でバイトが伝送されていない期間で軽減される。
【００４４】
第１バイトを伝送する前に、伝送回線上の信号レベルが論理「０」に等しいアイドル状態になる。図において、アイドル期間の状況は、参照符号４０３により示される。制御ユニット２０２は、伝送回線１０６上の信号レベルを図において期間４０４により表すハイ・レベルに移行させることにより、伝送回線をいわゆる活性状態に移行させる。期間４０４は、いわゆる覚醒期間であって、バッテリ内の１以上の電子手段を節電状態から通常の電力消費状態に移行させる。
【００４５】
図の右に示すように、バイト４０２には、伝送回線１０６での信号レベルが論理「１」のレベル、即ち期間４０５により示す状況に類似した状況に等化な間隔４０６が続く。間隔４０６の最小の長さは、所要応答時間と、通信方向を逆転させるための最小セットアップ時間とにより指定される。間隔４０６には、論理レベル「１」から論理レベル「０」にシフトすることが続き、これは、伝送回線１０６を活性状態に移行させた状況を表している。これに代わって、シフトは、新しいバイトのスタートを伝送していることを表していると云える。即ち、シフトは、新しいスタート・ビットの先頭に対応している。伝送回線は、期間の長さ４０６が与えられた所定値を超えたときに、アイドル状態に移行することに注意すべきである。
【００４６】
伝送回線１０６を介して伝送されるバイトは、データと共に複数の命令を設けることができる。これらの命令は、電子装置１０２により送出されたいわゆる読み出し専用命令を設けることが可能であり、バッテリ１０３に命令してメモリ１１６から指定された命令を読み出し、応答において１以上のデータ・バイトとして情報を送出させる。例えば、読み出し専用命令は、公称容量、又はバッテリの製造番号についての情報を送出するようにバッテリに指令することができる。この命令は、更に、いわゆる読み出し／書き込み命令を含めることができる。例えば、これらの命令は、バッテリの現在残存する容量の読み出し、又は書き込みを実行させる。更に、この命令セットは、バッテリ通信バスの改正情報の送出及び受信を実行させ命令、及びダイナミック識別番号の読み出し及び書き込みを実行させる命令を含めることができる。
【００４７】
改正情報は、サポートされた通信バス改正を指定する。マイクロ・コントローラ１０９、１１４は、バッテリ通信バスの改正番号を交換した後、電子装置１０２及びバッテリ１０３の両方によりサポートされた共通通信基準を使用することができる。従って、電子装置１０２とバッテリとの間の通信は、これらのうちの一方が他方よりも遅れた通信基準のみをサポートするときであっても、達成できる。
【００４８】
ダイナミック認識番号は、通信に使用される。電子装置１０２は、バッテリ１０３のメモリ１１６と電子装置１０２のメモリの両方に与えられたダイナミック認識番号を記憶するようにされている。バッテリ１０３が電子装置１０２に接続されときは、更に、バッテリ１０３が任意の時間に記憶可能にされているときを除き、バッテリ１０３が電子装置１０２に接続されている限り、ダイナミック認識番号を記憶することは、可能である。
【００４９】
バッテリが電子装置に接続されているときは、バッテリ１０３から電子装置１０２にダイナミック識別番号が伝送される。従って、バッテリ１０３からのダイナミック認識番号を電子装置１０２に記憶されている１以上のダイナミック認識番号と比較する。バッテリのダイナミック識別番号がバッテリ１０２からのダイナミック識別番号に対応していないときは、これは、バッテリが他の装置により使用されていた、又は完全に新しいバッテリである可能性があることを意味する。従って、電子装置１０２は、バッテリのステータスについての現在情報を有しておらず、また電子装置は、電子装置１０２から情報、例えば電子装置１０２の現在の残留容量に関する情報を読み出す。他方、バッテリのダイナミック識別番号が電子装置１０２からのダイナミック識別番号に対応しているときは、他の装置によってバッテリが使用されていなかったことであり、かつ電子装置が、バッテリから読み出した情報の代わりに、電子装置に記憶されているバッテリに関する情報を使用することができる。使用するのは電子装置１０２からの情報か又はバッテリ１０３からの情報かは、バッテリ１０３に記憶されている他の情報、例えば電子装置から切り離されていたので、バッテリが再充電されたか否かを表す情報に従う。その通りであれば、移動電話は、バッテリからバッテリ容量を読み出す。逆にその通りでなければ、移動電話は、バッテリ容量について予め記憶されている内部情報を使用する。バッテリからの情報の代わりに、初期に記憶されている情報を使用することが問題なのかは、通常、電子装置がより大きな利用可能性のメモリのために、高い分解能を有する情報を記憶できるということである。
【００５０】
電子装置は、移動電話又はバッテリ充電器であってもよいことに注意すべきである。例えば、移動電話及びバッテリ充電器の両者は、前述したダイナミック識別番号の読み出し及び書き込みを実行し、かつこれに基づいて、バッテリ１０３について予め記憶されている情報を使用するのか、逆にバッテリ１０３から情報を読み出すのかを決定することができる。
【００５１】
誤り処理は、本質的に、コマンド及びデータに使用されるエコー機構、即ちコマンド及びデータに関連する再送に基づいている。図４を参照すると、第１のバイト４０１は、電子装置１０２によりバッテリ１０３に伝送されてもよい。バイト４０１がバッテリ１０３により受信されると、バイトは、バイト４０２としてバッテリ１０３から電子装置１０２に再送される。バイト４０２が電子装置１０２により受信されると、バイト４０２は、送出された元のバイト４０１と比較する。バイト４０１及び４０２が一致しないときは、誤りが検出される。
【００５２】
書き込みコマンドに関連して、以下の方法により、再送を実行することができる。第１に、電子装置１０２により送出されたバイト４０１がバッテリ１０３により受信される。第２に、受信したバイトがバッテリ１０３の不揮発性メモリ１１６に書き込まれる。第３に、バッテリの不揮発性メモリからバイトが読み出される。最後に、バッテリ１０３から電子装置１０２に読み出したバイトを再送して、誤り検出を実行することができる。従って、更に不揮発性メモリ１１６にバイトが正しく書き込まれたことを調べる。
【００５３】
前述した誤り検出は、バッテリ１０３から電子装置１０２に伝送された複数のバイトについて実行されてもよいことに注意すべきである。
【００５４】
図５は、バッテリ電力受け取り装置とバッテリ・パックとの間の通信方法に関するフロー・チャートを示す。この方法はステップ５０１からスタートする。ステップ５０２において、バッテリ電力受取装置即ち電子装置、例えば移動電話に正しいバッテリ即ち正しい形式のバッテリが取り付けられているか否かを判断する。これは、バッテリに対して識別情報の要求を送出し、このような識別情報を受け取り、かつこの識別情報を電子装置に予め記憶されている識別情報と比較することにより、実行される。この識別情報が認識可能であれば、バッテリは正しい形式であるとみなされ、逆のときは、電子装置は、ステップ５０３において、認識可能なバッテリが取り付けられるまで「準備完了していない」状態であると判断する。
【００５５】
バッテリが認識可能であるとみなされると、ステップ５０４において、電子装置は、バッテリに更なる識別情報を要求する。更にステップ５０４において、要求に対する応答を調べる。応答として新しい未だ使用していないバッテリを取り付けていることを示す特殊符号を含むときは（ｙｅｓ）、電子装置は、そのバッテリを新バッテリとして使用することができる。これは、電子装置がそのバッテリにバッテリ情報を要求できること、又は以上で述べたように特殊形式のバッテリを認識したことを特徴付ける、予め記憶されたバッテリ情報を使用できることを含む。このバッテリ情報は、例えば最適にバッテリを充放電するために使用されている、バッテリの実際の容量及び他のパラメータを含めてもよい。
【００５６】
ステップ５０７において、いわゆるダイナミック符号は、電子装置からバッテリ（即ち、バッテリ情報回路）に伝送される。このダイナミック符号は、更にステップ５０７において、後にあり得るこの特定のバッテリの認識のために電子装置に記憶される。
【００５７】
代わって、新しいバッテリが取り付けられていないと判断したときは、その応答が既知の即ち予め記憶されているダイナミック符号を含むか否かについて、その応答を調べる。これは、ステップ５０５において実行される。
【００５８】
ステップ５０５において、調べた結果が「イエス」のとき、即ち応答が既知のダイナミック符号を含むときは、前述したように、この方法はステップ５０７に続く。
【００５９】
ステップ５０５において、調べた結果が「ノー」のとき、即ち応答が未知のダイナミック符号を含むときは、取り付けたバッテリに関する未更新の即ち実際のバッテリ情報を含むと電子装置が判断する。従って、バッテリそのものから情報が読み出される。
【００６０】
ステップ５０２において、正しい形式のバッテリが認識されたときは、電子装置は、このバッテリを受け入れ、電子装置そのものから、又はバッテリから実際のバッテリ情報を得る。
【００６１】
電子装置の使用中は、電子装置がそれ自体のバッテリ電力使用を計算し、かつバッテリの表示と非常に厳密に比較した当該情報を記憶することができる。従って、バッテリから情報を読み出すよりも電子装置に存在するバッテリ情報を使用することが好ましい。
【００６２】
好ましい一実施例では、バッテリの取り付けを検出する手段が信号を送出したときに、バッテリの正しい形式を検出するステップ（ステップ５０２）が実行される。
【００６３】
更に、好ましい実施例では、ダイナミック符号がバッテリ情報回路に記憶され、前述した信号を送出した直後に、バッテリ情報回路及び電子装置に記憶される。
【００６４】
また更に、好ましい実施例では、ステップ５０７において、ダイナミック符号がランダム又は擬似ランダム符号として発生される。
【００６５】
フロー・チャートは、マイクロコントローラ１０９内のプログラミングの一部として実施されてもよい。
【００６６】
図６は、通信が成功したときに連続して２回通信すること、及び通信が失敗したときに最大３回通信することにより、通信する方法に関するフロー・チャートである。ステップ６０１において、この方法がスタートし、かつステップ６０２において、ｃｎｔ＝０にセットすることにより、カウンタをゼロに初期化する。ステップ６０３は、この方法がステップ６０３においてそれぞれ実行される異なる３副次方法（ｓｕｂ−ｍｅｔｈｏｄ）Ｍ１、Ｍ２及びＭ３により、連続３回実行されることを表す。
【００６７】
副次方法Ｍ１は、電子装置及びバッテリ情報回路が同一の通信プロトコルを使用することを保証する方法である。
【００６８】
副次方法Ｍ２は、バッテリが正しい即ち周知の形式にあることを保証する方法である。これは、更に「認証」として知られている。
【００６９】
副次方法Ｍ２は、ダイナミック符号、従ってバッテリが認識可能であることを保証する方法である。
【００７０】
ステップ６０４において、カウンタｃｎｔを１だけ増加させる。次いでステップ６０５において、この副次方法は、正常に実行されたか否か、かつカウンタｃｎｔが１に等しいか、即ちｃｎｔ＝１であるか否かが検証される。両条件が真であれば、この方法はステップ６０３から再び開始される。
【００７１】
代わって、ステップ６０６において、この方法は失敗なしに実行されたか否か、かつカウンタが２より小さい、即ちｃｎｔ＜２であるか否かが検証される。両条件が真であれば、この方法はステップ６０３から再び開始される。
【００７２】
ステップ６０７において、失敗の回数が２より少ないか否かが検証される。これが真のときは、ステップ６０８において電子装置は使用が準備完了状態となる。逆のときは、装置は準備完了でないと判断される。この状況は、例えば指定された時間、電子装置の使用を禁止することにより、又は他のバッテリを取り付けるのを単純に待機することにより、処理されてもよい。
【００７３】
添付する図面及び以上の詳細な説明により本発明の方法及び装置の好ましい実施例を説明したが、本発明は、開示した実施例に限定されず、以下の請求の範囲に記載したように、本発明の精神から逸脱することなく、多数の再配列、変更及び置換が可能なことを理解すべきである。
【図面の簡単な説明】
【図１】  本発明による装置を示す。
【図２】  バッテリの一部とインターフェース接続する電子装置の一部を示す。
【図３】  以上で述べた伝送に関連して使用されるバイトの一例である。
【図４】  バイトの伝送を示す。
【図５】  バッテリ電力受取装置とバッテリ・パックとの間の通信方法に関するフロー・チャートを示す。
【図６】  通信が成功したときに連続して２回通信すること、及び通信が失敗したときに最大３回通信することによる通信方法に関するフロー・チャートを示す。
【図１】
0003764338.tif 000002
【図２】
0003764338.tif 000003
【図３】
0003764338.tif 000004
【図４】
0003764338.tif 000005
【図５】
0003764338.tif 000006
【図６】
0003764338.tif 000007